(57)【特許請求の範囲】
【請求項１】
多重化トランスポートストリームによって伝送される複数の番組を受信するデジタルテレビジョン受信機において、
前記多重化トランスポートストリームによって伝送される複数の番組のうち１つを選局して画面表示している時に前記多重化トランスポートストリームによって伝送される複数の番組のうち該選局中の番組以外の字幕情報を解析することを特徴とするデジタルテレビジョン受信機。
【請求項２】
請求項１に記載のデジタルテレビジョン受信機において、
前記選局中の番組以外の番組の字幕情報を解析する前に該番組の字幕情報の有無を判断し、該字幕情報が無い場合は該字幕情報を解析しないことを特徴とするデジタルテレビジョン受信機。
【請求項３】
請求項１または請求項２に記載のデジタルテレビジョン受信機において、
前記多重化トランスポートストリームに含まれる番組間で画面表示する番組の選局が変更された場合、前記字幕情報の解析による解析結果を利用して字幕を表示することを特徴とするデジタルテレビジョン受信機。
【発明の詳細な説明】
【０００１】
【発明の属する技術分野】
この発明は、デジタルテレビジョン受信機に関する。
【０００２】
【従来の技術】
日本国内において１９９５年から放送されているＣＳデジタル放送、および２０００年１２月１日に本放送が開始されたＢＳデジタル放送では、放送局側でデジタル情報として圧縮された映像情報・音声情報、及びそれに加えて放送されている番組に関する情報などをＭＰＥＧ２システム規格（ＩＳＯ／ＩＥＣ１３８１８−１）によって多重化したトランスポートストリーム（Ｔｒａｎｓｐｏｒｔ  Ｓｔｒｅａｍ：ＴＳ）をデジタル変調して送信している。そして、受信機側では受信した信号をデジタル復調して得られたＴＳから映像・音声その他の情報を分離して再生するようになっており、かかる放送とその受信機が普及しつつある。
【０００３】
そのなかで、ＢＳデジタル放送においては、主に映画などのセリフに対する訳を映像に重ねて表示するための字幕や、緊急放送時に映像に重ねて表示する文字スーパー（以下、字幕と文字スーパーとを総称して「字幕」と称す場合もある）に関するデータを、映像・音声とは別のＰＥＳ（Ｐａｃｋｅｔｉｚｅｄ  Ｅｌｅｍｅｎｔａｒｙ  Ｓｔｒｅａｍ）中に格納した上で、ＴＳに多重して送出し、受信機側ではそれをＴＳから分離・解析することによって適宜、受信機画面に字幕として表示することができる。
【０００４】
【発明が解決しようとする課題】
しかしながら、字幕・文字スーパーを表示するために必要な字幕管理データが放送局側から送出される最低送出頻度は、規格（ＢＳデジタル放送データ放送運用規定第３篇７．２．１編成・伝送上の制約（１２）参照）上、５．０秒まで許されている為、従来のようにチャンネルを変更してから字幕のＰＥＳを取得し、それを解析して最初の字幕管理データを受信して、字幕・文字スーパーを送出できる状態になる為には最大約５秒かかることとなる。これは、例えば、視聴者が外国語映画のチャンネルに変更して映像が表示されても、本来同時に表示されるべき日本語字幕が表示されるまで最大約５秒のタイムラグが生じ、視聴者がその映画の内容を把握できるようになるまでに時間がかかるなどの問題があることを意味している。
【０００５】
本発明はかかる課題を解決することを目的とするものであり、現在視聴しているチャンネル以外のチャンネルに字幕情報がある場合に、あらかじめその字幕情報を解析しておくことで、視聴者がその字幕情報のあるチャンネルに切り換えた際に、映像の出力と同時に字幕を出力することで、それにより視聴者が即座に番組内容を把握することができるデジタルテレビジョン受信機を提供するものである。
【０００６】
【課題を解決するための手段】
請求項１にかかる発明は、多重化トランスポートストリームによって伝送される複数の番組を受信するデジタルテレビジョン受信機において、前記多重化トランスポートストリームによって伝送される複数の番組のうち１つを選局して画面表示している時に前記多重化トランスポートストリームによって伝送される複数の番組のうち該選局中の番組以外の字幕情報を解析することを特徴とするデジタルテレビジョン受信機である。
【０００７】
請求項２にかかる発明は、選局中の番組以外の番組の字幕情報を解析する前に該番組の字幕情報の有無を判断し、該字幕情報が無い場合は該字幕情報を解析しないことを特徴とするデジタルテレビジョン受信機である。
【０００８】
請求項３にかかる発明は、多重化トランスポートストリームに含まれる番組間で画面表示する番組の選局が変更された場合、前記字幕情報の解析による解析結果を利用して字幕を表示することを特徴とするデジタルテレビジョン受信機である。
【０００９】
【発明の実施の形態】
以下、この発明の実施形態を図面に基づいて説明する。
【００１０】
図１はＢＳ（Ｂｒｏａｄｃａｓｔｉｎｇ  ｖｉａ  Ｓａｔｅｌｌｉｔｅ）デジタル放送ユーザーが視聴できるこの実施形態の放送受信機を示したブロック図である。
【００１１】
パラボラアンテナ１は、屋外において放送衛星が位置する所定の方向に向けて配置されており、衛星から送られてくるＢＳディジタル放送信号を受信する。パラボラアンテナ１は、一般に周波数変換器を備え、受信／周波数変換した信号をチューナ部２に与える。
【００１２】
チューナ部２は、映像・音声データを含む高周波デジタル変調信号のうちから特定周波数の信号を取り出す。すなわち、デジタル放送の複数のトランスポンダのなかから一つを選択する処理を行う。また、チューナ部２の出力は復調部３に出力されるが、該復調部では逆インタリーブ、誤り訂正、デジタル変調信号の復調などを行ない、トランスポート・ストリームＴＳを出力する。
【００１３】
ＴＳ分離部４（デマルチプレクサ（ＤＥＭＵＸ））は、復調部３から受け取ったトランスポート・ストリームから、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケットに分離するとともに、番組案内情報（ＥＰＧ情報）、字幕・文字スーパー情報、データ放送の情報などを含む付加情報に分離する。ＴＳ分離部４は、ビデオトランスポートパケットを映像デコード部５に、オーディオトランスポートパケットを音声デコード部６に供給する。
【００１４】
映像デコード部５は、入力された可変長符号を復号して量子化係数や動きベクトルを求め、逆ＤＣＴ変換や動きベクトルに基づく動き補償制御などを行う。デコードにより生成された映像データは、ＯＳＤ（オンスクリーンディスプレイ）多重処理部８を介して、映像処理回路１２に与えられる。映像処理回路１２は映像デコード部５からの映像データを受け取ると、Ｄ／Ａ変換を行ない、例えばＮＴＳＣフォーマットのコンポジット信号に変換し、ＣＲＴ１３にて映像を表示する。
【００１５】
音声デコード部６は、入力された符号化信号を復号して音声データを生成し、それを音声処理回路１４に供給する。音声処理回路１４は音声デコード部６から出力された音声データを受け取り、Ｄ／Ａ変換を行ない、右（Ｒ）音のアナログ信号および左（Ｌ）音のアナログ音声信号を生成し、これにより音声がスピーカ１５から出力される。
【００１６】
前記ＴＳ分離部４は、複数の番組が同一のＴＳに多重されている場合は、操作部７からの指示によって、視聴する特定の番組に関連する映像、音声、及び付加情報を抽出する処理を行う。
【００１７】
前記操作部７は、視聴者がチャンネルを入力したり、ＥＰＧやデータ放送の情報を表示させたり操作したりするためのものであって、リモコンおよびテレビジョン受信機の前面パネルに設けられた操作パネルを含む。
【００１８】
ＯＳＤ多重処理部８は、映像デコード部５から得られる映像情報に対して、ＥＰＧ情報、データ放送の情報、字幕・文字スーパーなどのオンスクリーン画像を重ねて表示する。
【００１９】
ＥＰＧ情報処理部９は、ＴＳ分離部４で分離されたＥＰＧ情報を解析して、ＯＳＤ多重表示部８によって画面にＥＰＧ情報を表示して、視聴者が操作部７からの入力で番組の選択などを行うようにしている。
【００２０】
データ放送処理部９は、ＴＳ分離部４で分離されたデータ放送情報を解析してＯＳＤ多重処理部８によって種々のデータを画面に表示し、視聴者の操作部７からの入力によって表示内容の変更を可能にならしめる。
【００２１】
字幕・文字スーパー処理部１１は、ＴＳ分離部４により出力された字幕・文字スーパー情報（字幕）を解析してＯＳＤ多重処理部８によって字幕・文字スーパーを画面に表示する。
【００２２】
次に、図１の受信機のブロック図と、図２のフローチャートを参照しつつ、その動作を説明する。
【００２３】
電源投入後、チューナ部２及び復調部３は、規定値として設定されたチャンネルの番組を選局し、ＴＳ分離部４へＴＳを出力する。ＴＳ分離部４では、入力されたＴＳに複数チャンネルが多重されたストリームの場合、入力されたＴＳから規定値として設定値として設定されたチャンネルに該当するストリームを抽出し、その中から映像、音声、ＥＰＧ情報、字幕・文字スーパー情報、データ放送に関係するストリームを分離し、それぞれ映像デコード部５、音声デコード部６、ＥＰＧ情報処理部９、データ放送処理部１０、字幕・文字スーパー処理部１１に出力する。ＥＰＧ情報処理部９は、ＥＰＧ情報を取得しておき、操作部７からの視聴者の操作によって選択された番組を提示するなどの処理を行う。データ放送処理部１０では、受信している番組にデータ放送の情報が含まれていればそれを取得・解析することで、操作部７からの視聴者の操作によって、ＯＳＤ多重処理部８を通してデータ放送画面を表示し、さらに視聴者の操作によって、番組情報表示や天気予報表示など、その時に放送されているデータ放送中に含まれるコンテンツの対話型表示を行うようになっている。
【００２４】
字幕・文字スーパー処理部１１は、放送中の番組に字幕情報（文字スーパーの情報も含む）が含まれていれば、それを取得、解析し、ＯＳＤ多重処理部８を通して画面に表示する。
【００２５】
図２は、図１に示された受信機が、電源投入後、ある番組を受信開始し、その後、視聴者が他の番組を視聴するために受信チャンネル（ＣＨ）を切り替えた場合に、字幕・文字スーパーの出力を高速化するための処理手順を示している。
【００２６】
まず、受信機はその字幕・文字スーパー処理部１１において、ステップ（Ｓ）１の処理、すなわち現在受信中のチャンネル（ＣＨ）に字幕（文字スーパーも含む）情報が含まれているかどうかを判断し、含まれている場合はステップ１０に進む。ステップ１０では字幕情報を解析して、字幕を画面に表示する。
【００２７】
一方、ステップ１において、現在受信中のチャンネルに字幕情報が含まれていない場合は、そのままステップ２に進む。
【００２８】
ステップ２においては、同一ＴＳ上で受信中ＣＨ以外のＣＨに字幕があるかどうかを判断し、あればステップ３に進み同一ＴＳ上で受信中ＣＨ以外のチャンネルであって字幕のある全てのＣＨに対してその字幕を解析する。ステップ２で同一ＴＳ上で受信中ＣＨ以外のＣＨに字幕がなければステップ３をスキップしてステップ４に進む。ステップ４において、チャンネルの変更があるかどうかの判断を行ない、変更があればステップ５に進む。
【００２９】
ステップ５ではステップ４でのチャンネル変更は同一ＴＳ上での変更かどうかの判断を行い、同一チャンネルの変更でなければ、ステップ８で他のＴＳ（他のトランスポンダ）上におけるチャンネルの変更する処理を行ない、その後ステップ１に戻る。
【００３０】
ステップ５において、同一ＴＳ上でＣＨ変更がなされた場合、ステップ６においてその同一ＴＳ上にあるチャンネルへのチャンネル変更を行う。
【００３１】
次にステップ７において、チャンネル変更先で字幕がないかどうかの判断がなされ、字幕があればステップ９でステップ３における解析結果を利用して字幕を即座に出力し表示する。
【００３２】
そして、ステップ７において、変更先ＣＨに字幕がなければステップ３に戻る。
【００３３】
尚、上記実施例では、同一ＴＳ上における字幕の処理について記載しているが、チューナ部を複数設けることによって、一つのＴＳ上のチャンネルを受信中に他のＴＳ上における字幕の処理も行うように構成することができる。
【００３４】
【発明の効果】
以上説明したように、この発明によれば、現在視聴しているチャンネル以外のチャンネルに字幕情報がある場合に、あらかじめその字幕情報を解析しておくことで、視聴者がその字幕情報のあるチャンネルに切り換えた際に、映像の出力と同時に字幕を出力することで、それにより視聴者が即座に番組内容を把握することができ、極めて有用である。
【図面の簡単な説明】
【図１】この発明の実施形態の放送受信機を示すブロック図である。
【図２】この発明の実施形態の動作説明フローチャートである。
【符号の説明】
１  パラボラアンテナ
２  チューナ部
３  復調部
４  ＴＳ分離部
５  映像デコード部
６  音声デコード部
７  操作部
８  ＯＳＤ多重処理部
９  ＥＰＧ情報処理部
１０  データ放送処理部
１  字幕・文字スーパー処理部
２  映像出力部
３  ＣＲＴ
４  音声出力部
５  スピーカ
【図１】
0003600170.tif 000002
【図２】
0003600170.tif 000003